(57)【要約】【課題】  撮影モードを切り換える切換機構を簡略化して小型化できるとともに、切換時に節度感が得られる携帯端末を提供する。【解決手段】  携帯端末１０は、上筐体１２の内部に収容されるカメラユニット２０と、カメラユニット２０の本体２５から突設され、レンズ２２の軸線２６を中心として揺動することにより複数の撮影モードに切換可能なレバー２８と、レバー２８に係合するようにカメラユニット２０に隣接配置され、レバー２８を揺動させる回動部材３０と、回動部材３０の外周面３１に設けられて外側カバー１６に対して弾性接触し、回動部材３０が回動した際に節度感を付与する節度部３２と、回動部材３０の端面３３に突設されて内側カバー１５の外部に露出し、使用者５０が操作可能な操作部２１とを有する。【選択図】    図３
2006030448.tif 000002
【特許請求の範囲】
【請求項１】
筐体と、前記筐体の内部に収容されるカメラユニットと、
前記カメラユニットの本体からレンズの径方向に沿って突設され、前記レンズの軸線を中心として揺動することにより複数の撮影モードを切換可能なレバーと、
前記レバーに係合するように前記カメラユニット内に配置され、前記レンズの軸線に対して平行な回転軸線を中心として回動することにより前記レバーを揺動させる回動部材と、
前記回動部材の周面に設けられて前記筐体に対して弾性接触し、前記回動部材が回動した際に節度感を付与する節度部と、
前記回動部材の端面に突設されて前記筐体の外部に露出し、使用者が操作可能な操作部とを有することを特徴とする携帯端末。
【請求項２】
前記操作部が、前記筐体における前記カメラユニットの撮影方向とは反対側に露出していることを特徴とする請求項１に記載の携帯端末。
【発明の詳細な説明】
【技術分野】
【０００１】
本発明は、デジタルカメラを一体に備え、通常撮影モードや接写モードに切換可能な操作部を有する携帯端末に関する。
【背景技術】
【０００２】
携帯端末のなかには、デジタルカメラを一体に備えたものがある。デジタルカメラは、レンズの焦点距離を変化させることにより通常撮影モードとマクロモード（接写モード）とに切換可能に構成されたものが知られている。
【０００３】
例えば、デジタルカメラを備えた携帯端末に接写専用機能を持たせ、モード選択ボタンで接写モードに切り換えることで、接写位置でピントが合うように構成され、撮影レンズを表示部の反対側に有し、表示部を有する側にモード選択ボタンを有する携帯端末がある（例えば、特許文献１）。
【０００４】
また、専用のデジタルカメラのなかには、表示部と同じ側にマクロ撮影用のボタンを有し、マクロ撮影の状態で誤って通常撮影することがないように、マクロ撮影用のボタンを操作しながらシャッターボタンを操作しなければ、マクロ操作できないようにしたものがある（例えば、特許文献２）。
【０００５】
さらに、通常モードとマクロモードとを切り換えるマクロ切換え用の操作部を、レンズ側に有し、コイルばねを用いてその切換に、節度感、すなわちクリック感を持たせたものがある（例えば、特許文献３）。
【特許文献１】特開２００２−３７４４５０号公報
【特許文献２】特開平１１−１１９３１６号公報
【特許文献３】特開平１１−７２６９６号公報
【発明の開示】
【発明が解決しようとする課題】
【０００６】
ところで、携帯端末においては機構を簡略化して小型化が求められており、特許文献１，２，３に用いられている撮影モードの切換機構も簡略化して小型化したい。
加えて、携帯端末の小型化と液晶表示部の大型化に伴って、撮影モードを切り換える操作部も小さくならざるを得ず、撮影モードを確実に切り換えるために、切換時の操作部に節度感（クリック感）が求められている。
【０００７】
本発明は上記事情に鑑みてなされたもので、撮影モードを切り換える切換機構を簡略化して小型化できるとともに、切換時に節度感が得られる携帯端末を提供することを目的とする。
【課題を解決するための手段】
【０００８】
本発明の携帯端末は、筐体と、前記筐体の内部に収容されるカメラユニットと、前記カメラユニットの本体からレンズの径方向に沿って突設され、前記レンズの軸線を中心として揺動することにより複数の撮影モードを切換可能なレバーと、前記レバーに係合するように前記カメラユニット内に配置され、前記レンズの軸線に対して平行な回転軸線を中心として回動することにより前記レバーを揺動させる回動部材と、前記回動部材の周面に設けられて前記筐体に対して弾性接触し、前記回動部材が回動した際に節度感を付与する節度部と、前記回動部材の端面に突設されて前記筐体の外部に露出し、使用者が操作可能な操作部とを有することを特徴とする。
【０００９】
レバーに回動部材を係合させ、回動部材に節度部および操作部を有する。操作部で回動部材を回転させことによりレバーを揺動することにより、カメラユニットの撮影モードを切り換える。
この際に、回動部材と一体的に回動する節度部が筐体に弾性接触して節度感を付与する。
回動部材を撮影モード切換用レバーに係合させ、さらに回動部材に節度部を有し、加えて回動部材に操作部を有することで、回動部材に３つの機能をまとめて備えた。
【００１０】
筐体の内側に回動部材を組み付けることで、節度部を筐体に弾性接触させるとともに、操作部を筐体の外部に露出させる。回動部材側からカメラユニットを組み付けることでレバーを回動部材に係合する。
回動部材およびカメラユニットを同一方向に向かって組み付けできるので、組立性が向上する。
【００１１】
また、本発明の携帯端末は、前記操作部が、前記筐体における前記カメラユニットの撮影方向とは反対側に露出していることを特徴とする。
【００１２】
操作部をカメラユニットの撮影方向とは反対側に露出させることで、操作部を表示部側に取り付けることが可能になる。
よって、表示部を見ながら操作部を操作することで、撮影モードの切換わり状況を表示部で確認しながら、操作部を操作できるので使い勝手の向上が図れる。
【発明の効果】
【００１３】
本発明によれば、回動部材に３つの機能をまとめることで、操作モードの切換機構が簡略化、小型化できるという効果を有する。
【発明を実施するための最良の形態】
【００１４】
図１〜図２に示すように、第１実施の形態の携帯端末１０は、下筐体１１の上端部１１ａに上筐体（筐体）１２の下端部１２ａを、連結部材１３を介して矢印の方向に回動自在に連結し、下筐体１１にキー操作部１４を備え、上筐体１２を内側カバー１５と外側カバー１６とで形成し、内側カバー１５に表示部（液晶表示部）１７を備え、表示部１７の下方に湾曲状の開口部１８を形成し、この開口部１８に、カメラユニット２０（図３も参照）の操作モードを切り換える操作部２１を露出させ、外側カバー１６にカメラユニット２０のレンズ２２（図２参照）を露出させたものである。
【００１５】
携帯端末１０は、内側カバー１５側に操作部２１を露出させ、外側カバー１６側にレンズ２２を露出させることで、操作部２１が、上筐体１２におけるカメラユニット２０の撮影方向とは反対側に露出している。
【００１６】
図３に示すように、携帯端末１０は、上筐体１２の内部に収容されるカメラユニット２０と、カメラユニット２０の本体２５からレンズ２２（図２参照）の径方向に沿って突設され、レンズ２２の軸線２６を中心として揺動することにより複数の撮影モードに切換可能なレバー２８と、レバー２８に係合するようにカメラユニット２０に隣接配置され、レンズ２２の軸線２６に対して平行な回転軸線２９を中心として回動することによりレバー２８を揺動させる回動部材３０と、回動部材３０の外周面（周面）３１に設けられて外側カバー１６に対して弾性接触し、回動部材３０が回動した際に節度感を付与する節度部３２と、回動部材３０の端面３３に突設され、開口部１８から内側カバー１５の外部に露出し、使用者５０（図５参照）が操作可能な操作部２１とを有する。
【００１７】
カメラユニット２０は、本体２５を備え、この本体２５にレンズ２２（図２参照）を備え、本体２５の側壁３６に、撮影モードを切り換えるレバー２８を備える。このカメラユニット２０を、上下のホルダー３７，３８を介して上下側のカバー１５，１６に取り付ける。カメラユニット２０のレンズ２２は、図２に示す外側カバー１６のレンズ開口部３９（図２も参照）から露出する。
レバー２８を矢印方向に移動することにより、複数の撮影モードのうちから所望の撮影モードに切り換える。
【００１８】
回動部材３０は、外周面３１に、レバー２８に係合する係合凹部４１を備え、係合凹部４１に対向する側の端面３３から操作部２１を突設させ、操作部２１近傍の外周面３１に節度部３２を備える。回動部材３０を、外側カバー１６の円形凹部４３に回動自在に嵌合する。
【００１９】
図４に示すように、節度部３２は、回動部材３０の外周面３１から基部４５を半径方向外側に向けて延ばし、基部４５から延出部４６を外周面３１に沿って湾曲状に延ばし、延出部４６の先端に嵌合部４７を備える。
延出部４６を外周面３１から所定間隔離して配置することで、延出部４６が外周面３１に近づく方向に弾性変形するための隙間を確保する。
嵌合部４７の外面４７ａを湾曲状に形成し、外側カバー１６（図３参照）に形成したクリック凹部４９（図４参照）に円滑に入り込むことや、クリック凹部４９から円滑に抜け出すことが可能になる。
【００２０】
携帯端末１０によれば、上筐体１２内に回動部材３０およびカメラユニット２０を組み付ける際に、図３に示すように、先ず外側カバー１６の内側に回動部材３０を組み付けることで、節度部３２を外側カバー１６に形成したクリック凹部４９（図４参照）に弾性接触させる。
【００２１】
次に、組み付けた回動部材３０側からカメラユニット２０を組み付けるとともに、レバー２８を回動部材３０の係合凹部４１に係合する。内側カバー１５を被せる際に、操作部２１を、内側カバー１５の開口部１８から露出させる。
このように、回動部材３０およびカメラユニット２０を同一方向に向かって組み付けできるので、組立性が向上する。
【００２２】
次に、携帯端末１０の作用を、主に図４に基づいて説明する。
使用者５０（図５参照）が操作部２１に指をかけて、回動部材３０を矢印Ａ方向に回動することにより、レバー２８を矢印Ｂ方向に揺動する。これにより、カメラユニット２０を通常の撮影モードに切り換える。
【００２３】
この際に、節度部３２が回動部材３０と一体に矢印Ａ方向に回動する。節度部３２の延出部４６が弾性変形して嵌合部４７が矢印Ｃの如くクリック凹部４９から抜け出して、隣接するクリック凹部４９に「カッチ」という感じで入り込む。
これにより、通常の撮影モードに切り換えるために回動部材３０を回動した際に、使用者５０（図５参照）に節度感が付与される。
【００２４】
一方、使用者５０（図５参照）が操作部２１に指をかけて、回動部材３０を矢印Ｄ方向に回動することにより、レバー２８を矢印Ｅ方向に揺動する。これにより、カメラユニット２０を接写の撮影モードに切り換える。
【００２５】
この際に、節度部３２が回動部材３０と一体に矢印Ｄ方向に回動する。節度部３２の延出部４６が弾性変形して嵌合部４７が矢印Ｆの如くクリック凹部４９から抜け出して、隣接するクリック凹部４９に「カッチ」という感じで入り込む。
これにより、接写の撮影モードに切り換えるために回動部材３０を回動した際に、使用者５０（図５参照）に節度感が付与される。
【００２６】
以上説明したように、携帯端末１０によれば、レバー２８に回動部材３０を係合させ、回動部材３０に節度部３２および操作部２１を有する。操作部２１で回動部材３０を回転させことによりレバー２８を揺動することにより、カメラユニット２０の撮影モードを切り換える。
【００２７】
この際に、回動部材３０と一体的に回動する節度部３２が、外側カバー１６に形成したクリック凹部４９に弾性接触して節度感を付与する。
回動部材３０を撮影モード切換用レバー２８に係合させ、さらに回動部材３０に節度部３２を有し、加えて回動部材３０に操作部２１を有することで、回動部材３０に３つの機能をまとめて備え、操作モードの切換機構が簡略化、小型化できる
【００２８】
また、図３に示すように、携帯端末１０は、内側カバー１５側に操作部２１を露出させ、外側カバー１６側にレンズ２２を露出させることで、図５に示すように、操作部２１をカメラユニット２０の撮影方向とは反対側に露出させて、操作部２１を表示部１７側に取り付けることが可能になる。
よって、使用者５０は表示部１７を見ながら操作部１８を操作することで、撮影モードの切換わり状況を表示部１７で確認しながら、操作部２１を操作できる。
【００２９】
なお、前記実施形態では、本発明を折り畳みタイプの携帯端末１０に適用した例について説明したが、これに限らないで、ストレートタイプ（すなわち、非折り畳みタイプ）の携帯端末に適用しても同様の効果が得られる。
【産業上の利用可能性】
【００３０】
本発明は、デジタルカメラを一体に備え、操作部を操作することにより通常撮影モードや接写モードに切換可能な携帯端末への適用に好適である。
【図面の簡単な説明】
【００３１】
【図１】本発明に係る携帯端末を開いた状態を示す斜視図である。
【図２】本発明に係る携帯端末の上筐体を外側から見た分解斜視図である。
【図３】本発明に係る携帯端末の要部を示す分解斜視図である。
【図４】本発明に係る携帯端末の要部を示す平面図である。
【図５】本発明に係る携帯端末の使用例を示す説明図である。
【符号の説明】
【００３２】
１０  携帯端末
１２  上筐体（筐体）
２０  カメラユニット
２１  操作部
２２  レンズ
２５  本体
２６  レンズの軸線
２８  レバー
２９  回転軸線
３０  回動部材
３１  外周面（周面）
３２  節度部
３３  回動部材の端面
５０  使用者
【図１】
2006030448.tif 000003
【図２】
2006030448.tif 000004
【図３】
2006030448.tif 000005
【図４】
2006030448.tif 000006
【図５】
2006030448.tif 000007